【事件の表示】
　特願２０１７−　３９０４５号「冷蔵庫」拒絶査定不服審判事件〔平成２９年　８月１０日出願公開、特開２０１７−１３８０９４号〕について、次のとおり審決する。
【結　論】
　本件審判の請求は、成り立たない。
【理　由】
第１　手続の経緯  
　本願は、平成２４年８月２７日に出願された特願２０１２−１８６３９５号の一部を平成２９年３月２日に新たな特許出願としたものであって、平成２９年１１月３０日付けの拒絶理由通知に対して、平成３０年１月２５日に意見書及び手続補正書の提出がなされ、平成３０年６月６日付けで拒絶査定がなされ、これに対し、平成３０年９月１１日に拒絶査定不服審判が請求されると同時に手続補正がなされたものである。  
　　  
第２　平成３０年９月１１日にされた手続補正（以下「本件補正」という。）についての補正却下の決定  
［補正却下の決定の結論］  
　本件補正を却下する。  
　  
［理由］ 
１　補正の内容 
（１）　本件補正後の特許請求の範囲の記載 
　本件補正により、特許請求の範囲の請求項１の記載は、次のとおり補正された（下線は補正箇所を示す。）。
「前面開口部を開閉する扉の前面を覆うガラス板と、
　前記ガラス板を端部で支持する扉キャップと
を有し、
　前記扉キャップは、前記ガラス板の後面と当接して支持する支持面を有し、当該支持面は前記ガラス板の後面と接着固定され、
　前記扉キャップにはガラス板の表面が露出するようにガラス板の端部に突き当てられて保持する突き当て部が設けられ、この突き当て部が設けられる前記扉キャップは、当該保持するガラス板前面を当該扉キャップ前面よりも手前側前方に位置させて保持
する突出部を備え
　
前記
、
　
前記突出部は、前記Ｃ面カットされた前記角部の中程まで延出し
（２）　本件補正前の特許請求の範囲
　本件補正前の、平成３０年１月２５日にされた手続補正により補正された特許請求の範囲の請求項１の記載は次のとおりである。
「前面開口部を開閉する扉の前面を覆うガラス板と、
　前記ガラス板を端部で支持する扉キャップと
を有し、
　前記扉キャップは、前記ガラス板の後面と当接して支持する支持面を有し、当該支持面は前記ガラス板の後面と接着固定され、
　前記扉キャップにはガラス板の表面が露出するようにガラス板の端部に突き当てられて保持する突き当て部が設けられ、この突き当て部が設けられる前記扉キャップは、当該保持するガラス板前面を当該扉キャップ前面よりも手前側前方に位置させて保持し、当該ガラス板前面の角部はＣ面カットされている冷蔵庫。」
　　
２　補正の適否  
　本件補正は、本件補正前の請求項１に記載された発明を特定するための事項である「扉キャップ」について、「当該保持するガラス板前面を当該扉キャップ前面よりも手前側前方に位置させて保持する突出部を備え」ること、及び「前記突出部は、前記Ｃ面カットされた前記角部の中程まで延出している」ことの限定を付加するものであって、補正前の請求項１に記載された発明と補正後の請求項１に記載される発明の産業上の利用分野及び解決しようとする課題が同一であるから、特許法第１７条の２第５項第２号の特許請求の範囲の減縮を目的とするものに該当する。 
　そこで、本件補正後の請求項１に記載された発明（以下「本件補正発明」という。）が、同条第６項において準用する同法第１２６条第７項の規定に適合するか（特許出願の際独立して特許を受けることができるものであるか）について、以下に検討する。
（１）　本件補正発明
　本件補正発明は、上記１（１）に記載したとおりのものである。
（２）　引用文献の記載事項及び記載された発明
ア　引用文献１
（ア）　原査定の拒絶の理由で引用された本願出願前に頒布された又は電気通信回線を通じて公衆に利用可能となった引用文献である、中国特許出願公開第１０１９１８７７８号明細書には、図面とともに、次の記載がある。
「
」（訳文：図の簡単な説明
【0013】  添付図と関連して、本発明の好ましい実施例と実施の詳細とその他発明の利点を以下に述べる。
【0014】  添付図は以下のとおり：
【0015】  図１は、本発明の、電気機器の扉の第１実施形態及びその扉の構造の正面の分解斜視図を示した；
【0016】  図２は、部分的に組み立てられた、図１の扉の構造及び電気機器の扉の背面から分解斜視図を示した；
【0017】  図３は、図２で断面腺Ａ−Ａでみた、図２の電気機器の扉の部分的断面図である；
【0018】  図４は、図２の断面線Ｂ−Ｂでみた、本発明の電気機器の扉の部分的断面図である；
【0019】  図５は、図１と２の組立状態の斜視図；
【0020】  図６は、図５中の断面線Ｃ−Ｃでみた、本発明の電気機器の扉の部分的断面図である；
【0021】  図７は、本発明の電気機器の扉の第２実施形態の側面部分横断面図である；
【0022】  図８は、電気機器の扉を複数有する本発明の部分的な斜視図である；
【0023】  図９は、本発明の電気機器の扉の第３実施形態の側面部分横断面図である。）
「
」（訳文：【0042】  これらの図から見て取れるように、２個のリブ形状補強要素３８、４０は、中間スペースあるいは中空空間Ｈに向かって、選択可能にガラス板６内部表面に設置される。補強要素３８、４０は、両面接着素子／テープ４２（図３、４参照）またはその他の適当の接着剤で、ガラス板６に固定する。補強要素３８、４０は、基本的にガラス板６内側のすべての幅内で延びる。第１（下側）補強要素３８は、下側の側片１４の上に直接設けられ（図２、３参照）、第２（上側）補強要素４０は、システムハウジング１６の下に設けられる（図２、４参照）。本実施例では、補強要素３８、４０は、Ｈ形横断面を有して、そのため、扉２のＹ方向に、強い剛性をもち、追加的にガラス板６を支持する。この場合に、Ｈ形横断面の前フラップ３８ａ、４０ａは、両面接着テープ４２のための接着面を提供する。もちろん、他の横断面形状を用いることができる。補強要素３８、４０の両端は、同じく成形要素１０に置いて、及び／又は、成形要素１０と接続することができる。選択可能の補強要素の数量とその取り付け位置は、ガラス板６の大きさ及び他の扉部材の位置によって変化することができる。
【0043】　特に図３に示すように、２個の側片１２、１４は、後板８と前側ガラス板６を取り付け固定する接続素子４４、４６、４８を有する。この実施例では、接続素子は、凹溝４４と接触面４６とガラス板６の下方支持面４８（図３参照）と上方支持面（図中に描かれていない）である。扉２の高さ方向Ｚに沿う形状係止の方法により、これらの支持面は、ガラス板６を固定する。前側ガラス板６と後板８とシステムハウジング１６（図４参照）（側片１２、１４及び／又は成形要素１０を含む）の間の扉構造物４の中間スペースあるいは中空空間Ｈ全体は、断熱発泡材５０で満たされる。側片１２、１４と成形要素１０中のいずれの他の中空空間は、同様に好ましくは、発泡充填される。発泡材５０は、中間スペースＨに向かうガラス板６の後側６ｅに直接接触する。」
「
」
（訳文：【0049】  図８は、本発明の、とても小さい垂直距離ｄＺをもって、互いに積み重ねられた電気機器の扉２Ａ、２Ｂを備えた冷凍電気機器６０の部分断面斜視図である。図７に第１上扉２Ａの下側片１４及びその下方の第２扉２Ｂの上側片１２が看て取れる。上側片１２、下側片１４には、上、下延長部あるいはフィンがそれぞれある（符号：１２ｂ、１４ｂ）。もし上扉２Ａであれば、ガラス板６の下側縁６ｃは、下側フィン１４ｂで荷重を受ける。上側タブ（図中に描かない）は、ガラス板６の上部縁に付着する。もし下方の扉２Ｂであれば、フィン１２ｂは、対応のガラス板６の上部縁６ｄに付着する。そして、下扉２Ｂの下側縁は下側フィン（図中に描かない）で荷重を受ける。このように、ガラス板６、６は、形状係止の方法で高さ方向Ｚでしっかり固定、保持することができる。本実施例では、フィン１２ｂ、１４ｂの厚さはおよそ０．８ｍｍとする；対応のフィン１２ｂ、１４ｂは、深さ方向Ｙで、対応のガラス板６、６の厚さより小さい。側面方向に、ガラス板６、６は、相応した成形要素の中に、形状係止の方法で、固定し、保持される（図中に描かない）。）
「
」
（訳文：
【0056】  図参照リスト
【0057】  ２ 　   扉
【0058】  ２Ａ    扉
【0059】  ２Ｂ    扉
【0060】  ４     箱型形状扉構造
【0061】  ６     前側ガラス板
【0062】  ６ａ    ６の左側縁
【0063】  ６ｂ    ６の右側縁
【0064】  ６ｃ    ６の下側縁
【0065】  ６ｄ    ６の上側縁
【0066】  ６ｅ    ６の後側／内面
【0067】  ６ｆ    ６の前側／外側
【0068】  ６ｇ    斜面／面取り
【0069】  ８      後板
【0070】  １０    成形要素
【0071】  １０ａ  成形部品
【0072】  １０ｂ  １０の前側
【0073】  １０ｃ  斜面
【0074】  １２    上側片
【0075】  １２ａ  中空箱型形状領域
【0076】  １２ｂ  タブ
【0077】  １４    下側片
【0078】  １４ｂ   タブ
【0079】  １６    システムハウジング
【0080】  １６ａ   １６の前縁部
【0081】  １８    接続部
【0082】  ２０    接続部
【0083】  ２２    １２の頂点開口
【0084】  ２４    ふた
【0085】  ２６    両面接着テープ
【0086】  ２８    接触式オペレーションシステムあるいは制御システム（“接触式制御部”）
【0087】  ３０    接触式センサ
【0088】  ３２    ６の領域
【0089】  ３４    ディスプレイ
【0090】  ３６    ６の透明部分
【0091】  ３８    補強要素
【0092】  ３８ａ   前フラップ
【0093】  ４０    補強要素
【0094】  ４０ａ    前フラップ
【0095】  ４２     両面接着テープ
【0096】  ４４     凹溝
【0097】  ４６     接触面
【0098】  ４８     下側支持面
【0099】  ５０     断熱発泡材
【0100】  ５２     接続素子
【0101】  ５４     凹溝
【0102】  ５６     凹溝
【0103】  ５８     装飾的要素／着色コーティング
【0104】  ６０     冷凍電気機器
【0105】  ｄＺ     垂直間隔
【0106】  Ｄ      距離
【0107】  Ｈ      中間スペースあるいは中空空間
【0108】  Ｘ      幅方向
【0109】  Ｙ      深さ方向
【0110】  Ｚ      高さ方向）
「図１
図２
図３
図４
図５
図６
図７
図８
図９
」
（イ）　上記（ア）の各記載事項から、以下の事項を認めることができる。
（ａ）　冷凍電気機器の扉の前面は、ガラス板６で覆われていること（図１、３）。
（ｂ）　扉の下方に設けられた側片１４は、ガラス板６の下方支持面４８を有し、下方支持面４８は、図３のＹ方向に突出していること。
（ウ）　上記載事項（ア）及び（イ）の事項を総合すると、引用文献１には、次の発明（以下「引用発明」という。）が記載されていると認められる。
「冷凍電気機器の扉の前面は、ガラス板６で覆われ、
扉の下方に設けられた側片１４は、ガラス板６を取り付け固定するガラス板６の下方支持面４８を有し、
第１（下側）補強要素３８は、側片１４の上に直接設けられ、補強要素３８は、Ｈ形横断面を有して、ガラス板６を支持し、前フラップ３８ａは、両面接着テープ４２のために、接着面を提供する、
冷凍電気機器。」
（３）引用発明との対比・判断
　本件補正発明と引用発明とを対比すると、各文言の意味、機能又は作用からみて、引用発明の「冷凍電気機器」、「扉」、「ガラス板６」、及び「前フラップ３８ａ」は、それぞれ本件補正発明の「冷蔵庫」、「扉」、「ガラス板」、及び「支持面」に相当する。
　引用発明の「扉」が、「冷凍電気機器」の前面の開口部を開閉する扉であることは明らかであるから、引用発明の「冷凍電気機器の扉の前面は、ガラス板６で覆われ」ていることは、本件補正発明の「前面開口部を開閉する扉の前面を覆うガラス板」を備えることに相当する。
　また、引用発明の「側片１４」は、「ガラス板６を取り付け固定するガラス板６の下方支持面４８を有し」ていることから、ガラス板６を端部で支持しているといえ、キャップともいえるものなので、本件補正発明の「前記ガラス板を端部で支持する扉キャップ」に相当する。
　また、引用発明の「側片１４」は、「第１（下側）補強要素３８は、側片１４の上に直接設けられ、補強要素３８は、Ｈ形横断面を有して、ガラス板６を支持し、前フラップ３８ａは、両面接着テープ４２のために、接着面を提供」していて、「前フラップ３８ａ」が「ガラス板６」の後面と当接して「両面接着テープ４２」により接着固定されるものである。そうすると、引用発明は、本件補正発明の「前記扉キャップは、前記ガラス板の後面と当接して支持する支持面を有し、当該支持面は前記ガラス板の後面と接着固定され」る態様を備えるものである。
　また、引用発明の「側片１４」が有する「ガラス板６の下方支持面４８」は、本件補正発明の「突出部」に相当し、また、引用発明の「下方支持面４８」には、図３でみると「ガラス板６」が突き当て可能であるといえるので、本件補正発明の「突き当て部」にも相当し、さらに、図３のガラス板６の下方の表面が露出していることから、本件補正発明の「前記扉キャップにはガラス板の表面が露出するようにガラス板の端部に突き当てられて保持する突き当て部が設けられ、この突き当て部が設けられる前記扉キャップは、当該保持するガラス板前面を当該扉キャップ前面よりも手前側前方に位置させて保持する突出部を備え」ることとと、「前記扉キャップにはガラス板の表面が露出するようにガラス板の端部に突き当てられて保持する突き当て部が設けられ、この突き当て部が設けられる前記扉キャップは、当該保持するガラス板を保持する突出部を備え」る限りで一致している。
　したがって、本件補正発明は、引用発明と以下の一致点で一致し、相違点で相違する。　　　              　
（一致点）　　　
「前面開口部を開閉する扉の前面を覆うガラス板と、
　前記ガラス板を端部で支持する扉キャップと
を有し、
　前記扉キャップは、前記ガラス板の後面と当接して支持する支持面を有し、当該支持面は前記ガラス板の後面と接着固定され、
　前記扉キャップにはガラス板の表面が露出するようにガラス板の端部に突き当てられて保持する突き当て部が設けられ、この突き当て部が設けられる前記扉キャップは、当該保持するガラス板を保持する突出部を備える、
　冷蔵庫。」
（相違点）
　突出部について、本件補正発明は、「当該保持するガラス板前面を当該扉キャップ前面よりも手前側前方に位置させて保持する」突出部とし、さらに、「前記ガラス板前面の角部はＣ面カットされ、前記突出部は、前記Ｃ面カットされた前記角部の中程まで延出している」としているのに対して、引用発明は、そのような特定はなされていない点。
　　          　
　そこで、上記相違点について検討する。
          　
（相違点の判断）
　引用文献１の図３に、ガラス板６の前面が、側片１４の先端部より、Ｙ方向でやや奥側に位置する場合が示されており、一方、引用文献１の図８に関して、上扉２Ａであれば、ガラス板６の下側縁６ｃは、下側フィン１４ｂで荷重を受けていて、フィン１４ｂの厚さはおよそ０．８ｍｍであり、対応のフィン１４ｂは、深さ方向Ｙで、対応のガラス板６の厚さより小さいと記載され（上記２（２）ア（ア））、図８には、ガラス板の下方を支持する下側フィン１４ｂ（図３の下方支持面４８に相当）よりも、ガラス板前面を手前側前方に配置させることが記載されている。
　このように、引用文献１には、ガラス板６の前面が側片１４の前面よりも奥側に位置する例や、手前側に位置する例が記載されているから、引用発明における、ガラス板６の前面と側片１４の前面の前後方向（図３のＹ方向）の配置関係は、当業者が適宜に決定し得る設計的事項と認められる。
　さらに、ガラス板の角をＣ面カットすることは、引用文献１の図８のガラス板６に示され、一般にも、ガラス板の角を面取りすることは本願出願前周知の事項である（例えば、特開平５−３２２４３６号公報【００１８】、図４）。そうすると、引用発明において、ガラス板６の前面角部をＣ面カットすることは、当業者が適宜なし得たことである。
　したがって、引用発明において、ガラス板６と側板１４との配置関係を調整し、ガラス板６前面を下方支持面４８をなす側板１４前面より手前側前方に位置させること、また、その程度として側板１４前面がガラス板６前面のＣ面カットされた角部の中程に位置するよう定めることは、当業者が容易に想到し得たことである。
　以上のとおりであるから、引用発明において、上記相違点に係る本件補正発明の特定事項を採用することは、当業者が引用文献１に記載された事項及び周知の事項に基づいて、容易に想到し得たことである。
　そして、本件補正発明の効果に関し、本願明細書には、「そして、このＣ面カットされた角部２１ｅの中程まで、左側扉キャップ３５の突出部３５ｄの先端３５ｅは延出している。すなわち、左側扉キャップ３５の突出部３５ｄの先端３５ｅは、Ｃ面カットされた角部２１ｅの半分以下の所、すなわち２分の１の以下の所で終端し、それ以上延出せず、これによりＣ面カットされたガラス板材２１の角部２１ｅが露出し、この部分に水分が滞留することが防止され、ひいてはこの部分（当審注：以下『当該部分」という。）における『かび』の発生が防止されている。」（【００２４】）と記載されているとともに、請求人は、「『前記突出部は、前記Ｃ面カットされた前記角部の中程まで延出している』という開示がないため、本願発明の『突出部により保護されることでＣ面カットされた角部周辺に傷が付きにくい』という、前記した効果を奏することはありません。特に、第１引用例の図８には、ガラス板６前面が扉キャップ１４前面よりも手前前方に位置させて保持され、ガラス板６前面の角部がＣ面カットされている構成が記載されているものの、突出部１２ｂの先端は、Ｃ面カットされた角部より奥側後方に位置し、Ｃ面カットされた角部の中程まで延出しておりません。このため、第１引用例に記載の発明は、本願の前記した効果を奏することはありません。」（平成３０年９月１１日付け審判請求書「４．請求項１に係る発明と引用例との対比」の項参照。）と主張している。
　しかしながら、突出部が延出すれば、ガラス板の保護の点では有利であり、一方、当該部分に水分が滞留しやすくなることは明らかである。
　よって、上記各効果は、当業者が容易に予測し得たものにすぎない。
　
　したがって、本件補正発明は、引用発明、引用文献１に記載された事項及び周知の事項に基いて当業者が容易に発明をすることができたものであるから、特許法第２９条第２項の規定により特許出願の際独立して特許を受けることができないものである。
（４）　本件補正についてのむすび  
　以上のとおり、本件補正は、特許法第１７条の２第６項において準用する同法第１２６条第７項の規定に違反するので、同法第１５９条第１項において読み替えて準用する同法第５３条第１項の規定により却下すべきものである。  
 　 
第３　本願発明について 
１　本願発明 
　本件補正は上記のとおり却下されたので、本願の請求項１に係る発明（以下「本願発明」という。）は、平成３０年１月２５日の手続補正により補正された特許請求の範囲の請求項１に記載された事項（上記「第２　１　補正の内容　（２）　本件補正前の特許請求の範囲」請求項１参照。）により特定されるとおりのものと認める。
２　原査定の拒絶の理由
　請求項１に係る原査定の拒絶の理由は、この出願の請求項１に係る発明は、本願の出願前に頒布された又は電気通信回線を通じて公衆に利用可能となった下記の引用文献１に記載された発明に基いて、その出願前にその発明の属する技術の分野における通常の知識を有する者が容易に発明をすることができたものであるから、特許法第２９条第２項の規定により特許を受けることができない、というものである。
引用文献１：中国特許出願公開第１０１９１８７７８号明細書 
 　 
３　引用文献 
　原査定の拒絶理由に引用された引用文献１、その記載事項及び引用発明は、前記「第２　２　補正の適否（２）引用文献の記載事項及び記載された発明」に記載したとおりである。 　 
４　対比・判断 
　本願発明は、本件補正発明から、「（当該保持するガラス板前面を当該扉キャップ前面よりも手前側前方に位置させて保持する）突出部を備え」ること、及び「前記突出部は、前記Ｃ面カットされた前記角部の中程まで延出している」ことの限定を省いたものである。
　そうすると、本願発明の発明特定事項をすべて含むものに相当する本件補正発明が、前記「第２　２　（３）引用発明との対比・判断」に記載したとおり、引用発明、引用文献１に記載された事項及び周知の事項に基いて、当業者が容易に発明をすることができたものであるから、本願発明も、同様に、引用発明、引用文献１に記載された事項及び周知の事項に基いて、当業者が容易に発明をすることができたものである。  
　 　 
第４　むすび  
　以上のとおり、本願発明は、引用発明、引用文献１に記載された事項及び周知の事項に基いて、当業者が容易に発明をすることができたものであるから、特許法第２９条第２項の規定により、特許を受けることができない。  
　したがって、本願は、他の請求項について検討するまでもなく拒絶すべきものである。  
　よって、結論のとおり審決する。